(57)【特許請求の範囲】
【請求項１】
ランプシンボル直前にパイロットシンボルがあるフレーム構成であって、Ｉ−Ｑ平面において、前記ランプシンボル直前のパイロットシンボルの信号点振幅を前記ランプシンボル直前のパイロットシンボルとは異なるパイロットシンボルの信号点振幅より小さくする如く、前記ランプシンボル直前のパイロットシンボルの信号点情報を出力する手段を具備する送信装置。
【請求項２】
ランプシンボル直前に減衰制御シンボルがあるフレーム構成であって、Ｉ−Ｑ平面において、前記減衰制御シンボルの信号点振幅を、前記減衰制御シンボル直前のパイロットシンボルの信号点振幅より小さくする如く、前記減衰制御シンボルの信号点情報を出力する手段を具備する送信装置。
【請求項３】
ランプシンボル直前に減衰制御シンボルがあるフレーム構成であって、Ｉ−Ｑ平面において、前記減衰制御シンボルの信号点振幅を、前記減衰制御シンボル直前のデータシンボルの信号点振幅より小さくする如く、前記減衰制御シンボルの信号点情報を出力する手段を具備する送信装置。
【請求項４】
ランプシンボル直前にパイロットシンボルがあるフレーム構成であって、Ｉ−Ｑ平面において、前記ランプシンボル直前のパイロットシンボルの信号点振幅を前記ランプシンボル直前のパイロットシンボルとは異なるパイロットシンボルの信号点振幅より小さくする無線通信方式。
【請求項５】
ランプシンボル直前に減衰制御シンボルがあるフレーム構成であって、Ｉ−Ｑ平面において、前記減衰制御シンボルの信号点振幅を、前記減衰制御シンボル直前のパイロットシンボルの信号点振幅より小さくする無線通信方式。
【請求項６】
ランプシンボル直前に減衰制御シンボルがあるフレーム構成であって、Ｉ−Ｑ平面において、前記減衰制御シンボルの信号点振幅を、前記減衰制御シンボル直前のデータシンボルの信号点振幅より小さくする無線通信方式。
【発明の詳細な説明】
【０００１】
【発明の属する技術分野】
本発明は、無線通信方式におけるランプ制御に関する。
【０００２】
【従来の技術】
従来のランプ制御装置の構成の一例として、例えば、文献（ＴＤＭＡバースト信号の過渡応答と隣接スロット干渉保護時間）伊倉、電子情報通信学会秋季全国大会  Ｂ−２９１  １９９０年に記載されているものが知られている。図２７は、そのランプ制御装置の構成を示している。変調信号生成部２７０２は、送信ディジタル信号２７０１、フレームタイミング信号２７１８を入力とし、送信直交ベースバンド信号の同相成分２７０３および直交成分２７０４を出力する。
【０００３】
送信フィルタ２７０５は、送信直交ベースバンド信号の同相成分２７０３を入力とし、帯域制限を行い、帯域制限された送信直交ベースバンド信号同相成分２７０７を出力する。
【０００４】
送信フィルタ２７０６は、送信直交ベースバンド信号の直交成分２７０４を入力とし、帯域制限を行い、帯域制限された送信直交ベースバンド信号の直交成分２７０８を出力する。
【０００５】
ハニング窓信号処理部２７０９は、帯域制限された送信直交ベースバンド信号の同相成分２７０７、フレームタイミング信号２７１８を入力とし、フレームタイミング信号２７１８から、フレームにおけるランプシンボルを検出し、ランプシンボルのときは帯域制限された送信直交ベースバンド信号の同相成分２７０３にハニング窓信号処理を施し、信号処理された送信直交ベースバンド信号の同相成分２７１１を出力する。
【０００６】
ハニング窓信号処理部２７１０は、帯域制限された送信直交ベースバンド信号の直交成分２７０８、フレームタイミング信号２７１８を入力とし、フレームタイミング信号２７１８から、フレームにおけるランプシンボルを検出し、ランプシンボルのときは帯域制限された送信直交ベースバンド信号の直交成分２７０８にハニング窓信号処理を施し、信号処理された送信直交ベースバンド信号の直交成分２７１２を出力する。
【０００７】
無線部２７１３は、信号処理を施した送信直交ベースバンド信号の同相成分２７２１１および直交成分２７１２を入力とし、送信信号２７１４を出力する。
【０００８】
電力増幅部２７１５は、送信信号２７１４を入力とし、送信信号２７１４を増幅し、増幅された送信信号２７１６を出力し、増幅された送信信号は、アンテナ１７から電波として出力される。
【０００９】
【発明が解決しようとする課題】
しかし、従来の例では、ガードタイムの減衰、隣接チャネル漏洩電力の規定を精度良く守りたい、または、ランプシンボルを少なくしたいときなどの場合、さらなる制御を行ったほうがよい場合がある。
【００１０】
【課題を解決するための手段】
この問題を解決するために本発明は、Ｉ−Ｑ平面において、ランプシンボル直前の復調のためのシンボルの信号点振幅を前記ランプシンボル直前の復調のためのシンボルを除く復調のためのシンボルの信号点振幅より小さくした変調信号を出力する変調信号生成部を具備する送信装置としたものであり、これにより、送信信号の強度を規定値に抑え、隣接チャネル漏洩電力の規定をより精度良く守ることができるという効果が得られる。
【００１１】
【発明の実施の形態】
本発明の送信装置は、Ｉ−Ｑ平面において、ランプシンボル直前の復調のためのシンボルの信号点振幅を前記ランプシンボル直前の復調のためのシンボルを除く復調のためのシンボルの信号点振幅より小さくすることを特徴とする、前記ランプシンボル直前の復調のためのシンボルの変調信号を出力する変調信号生成部を具備する構成をとる。
【００１２】
本発明の送信装置は、Ｉ−Ｑ平面において、ランプシンボル直前の復調のためのシンボルの信号点に応じて、ランプシンボルの信号点を配置することを特徴とする、前記ランプシンボルの変調信号を出力する変調信号生成部を具備する構成をとる。
【００１３】
本発明の送信装置は、ランプシンボル直前に減衰制御シンボルを配置することを特徴とする、前記減衰制御シンボルの変調信号を出力する変調信号生成部を具備する構成をとる。
【００１４】
本発明の送信装置は、ランプシンボル直前に減衰制御シンボルを配置し、Ｉ−Ｑ平面において減衰制御シンボル前の復調のためのシンボルの信号点振幅を、前記減衰制御シンボル前の復調のためのシンボルを除く復調のためのシンボルの信号点振幅より小さくすることを特徴とする、前記減衰制御シンボル前の復調のためのシンボルおよび前記減衰制御シンボルの変調信号を出力する変調信号生成部を具備する構成をとる。
【００１５】
本発明の送信装置は、Ｉ−Ｑ平面においてランプシンボル直前のデータシンボルの信号点に応じて、ランプシンボルの信号点を配置することを特徴とする、前記ランプシンボルの変調信号を出力する変調信号生成部を具備する構成をとる。
【００１６】
本発明の送信装置は、ランプシンボル直前に減衰制御シンボルを配置し、Ｉ−Ｑ平面において減衰制御シンボル前のデータシンボルに応じて、前記減衰制御シンボルの信号点を配置することを特徴とする、前記減衰制御シンボルの変調信号を出力する変調信号生成部を具備する構成をとる。
【００１７】
これらの構成により、送信信号の強度を規定値に抑え、隣接チャネル漏洩電力の規定をより精度良く守ることができる。
【００２３】
本発明の無線通信方式は、Ｉ−Ｑ平面において、ランプシンボル直前の復調のためのシンボルの信号点振幅を前記ランプシンボル直前の復調のためのシンボルを除く復調のためのシンボルの信号点振幅より小さくする方式をとる。
【００２４】
本発明の無線通信方式は、Ｉ−Ｑ平面において、ランプシンボル直前の復調のためのシンボルの信号点に応じて、ランプシンボルの信号点を配置する方式をとる。
【００２５】
本発明の無線通信方式は、ランプシンボル直前に減衰制御シンボルを配置する方式をとる。
【００２６】
本発明の無線通信方式は、ランプシンボル直前に減衰制御シンボルを配置し、Ｉ−Ｑ平面において減衰制御シンボル前の復調のためのシンボルの信号点振幅を、前記減衰制御シンボル前の復調のためのシンボルを除く復調のためのシンボルの信号点振幅より小さくする方式をとる。
【００２７】
本発明の無線通信方式は、Ｉ−Ｑ平面においてランプシンボル直前のデータシンボルの信号点に応じて、ランプシンボルの信号点を配置する方式をとる。
【００２８】
本発明の無線通信方式は、ランプシンボル直前に減衰制御シンボルを配置し、Ｉ−Ｑ平面において減衰制御シンボル前のデータシンボルに応じて、前記減衰制御シンボルの信号点を配置する方式をとる。
【００２９】
これらの方式により、送信信号の強度を規定値に抑え、隣接チャネル漏洩電力の規定をより精度良く守ることができる。
【００３０】
以下、本発明の実施の形態について図１から図２６を用いて説明する。
【００３１】
（実施の形態１）
本発明実施の形態１では、Ｉ−Ｑ平面においてランプシンボル直前の復調のためのシンボルの信号点振幅を前記ランプシンボル直前の復調のためのシンボルを除く復調のためのシンボルの信号点振幅より小さくする場合について説明する。
【００３２】
図１は、本実施の形態における時間軸におけるフレーム構成の一例を示しており、１０１、１０２、１０３、１０５、１０６、１０７はデータシンボルを示しており、例えば、１６ＱＡＭで変調されるシンボルとする。１０４、１０８はパイロットシンボル、１０９、１１０、１１１、１１２はランプシンボル、１１３、１１４はガードシンボルを示している。このとき、ガードシンボル１１３、１１４では、送信信号の強度の規定値が定められている場合、その規定値以内に抑える必要がある。そして、ランプシンボル１０９、１１０、１１１、１１２は、ガードシンボル１１３、１１４の送信信号の強度を規定値に抑えるために必要なシンボルである。
【００３３】
図２は、本実施の形態における送信装置の構成の一例を示しており、変調信号生成部２０２は、送信ディジタル信号、フレーム構成信号２１８を入力とし、例えば、図１のフレーム構成にしたがった送信直交ベースバンド信号の同相成分２０３および直交成分２０４を出力する。
【００３４】
送信フィルタ２０５は、送信直交ベースバンド信号の同相成分２０３を入力とし、帯域制限し、帯域制限された送信直交ベースバンド信号の同相成分２０７を出力する。
【００３５】
送信フィルタ２０６は、送信直交ベースバンド信号の直交成分２０４を入力とし、帯域制限し、帯域制限された送信直交ベースバンド信号の直交成分２０８を出力する。
【００３６】
信号処理部２０９は、帯域制限された送信直交ベースバンド信号の同相成分２０７、フレーム構成信号２１８を入力とし、例えば、ランプシンボル、ガードシンボルに対し窓かけをし、信号処理された送信直交ベースバンド信号の同相成分２１１を出力する。
【００３７】
信号処理部２１０は、帯域制限された送信直交ベースバンド信号の直交成分２０８、フレーム構成信号２１８を入力とし、例えば、ランプシンボル、ガードシンボルに対し窓かけをし、信号処理された送信直交ベースバンド信号の直交成分２１２を出力する。
【００３８】
無線部２１３は、信号処理された送信直交ベースバンド信号の同相成分２１１および直交成分２１２を入力とし、送信信号２１４を出力する。
【００３９】
電力増幅部２１５は、送信信号２１４を入力とし、送信信号２１４を増幅し、増幅された送信信号２１６を出力し、電波としてアンテナ２１７から出力される。
【００４０】
図３は、図２の変調信号生成部２０２の詳細の構成の一例を示しており、データシンボル変調信号生成部３０２は、送信ディジタル信号３０１およびフレーム構成信号３２１を入力とし、フレーム構成信号３２１がデータシンボルであることを示していた場合、１６ＱＡＭ変調し、データシンボル送信直交ベースバンド信号の同相成分３０７および直交成分３０８を出力する。
【００４１】
パイロットシンボル変調信号生成部３０３は、フレーム構成信号３２１を入力とし、フレーム構成信号３２１がパイロットシンボルであることを示していた場合、パイロットシンボルの送信直交ベースバンド信号の同相成分３０９および直交成分３１０を出力する。ただし、ランプシンボル直前のパイロットシンボルの場合を除くものとする。
【００４２】
ランプシンボル直前のパイロットシンボル変調信号生成部３０４は、フレーム構成信号３２１を入力とし、フレーム構成信号３２１がランプシンボル直前のパイロットシンボルであることを示していた場合、ランプシンボル直前のパイロットシンボルの送信直交ベースバンド信号の同相成分３１１および直交成分３１２を出力する。
【００４３】
ランプシンボル変調信号生成部３０５は、フレーム構成信号３２１を入力とし、フレーム構成信号３２１がランプシンボルを示していた場合、ランプシンボルの送信直交ベースバンド信号の同相成分３１３および直交成分３１４を出力する。
【００４４】
ガードシンボル変調信号生成部３０６は、フレーム構成信号３２１を入力とし、フレーム構成信号３２１がガードシンボルを示していた場合、ガードシンボルの送信直交ベースバンド信号の同相成分３１５および直交成分３１６を出力する。
【００４５】
同相成分切り替え部３１７は、データシンボル送信直交ベースバンド信号の同相成分３０７、パイロットシンボルの送信直交ベースバンド信号の同相成分３０９、ランプシンボル直前のパイロットシンボルの送信直交ベースバンド信号の同相成分３１１、ランプシンボルの送信直交ベースバンド信号の同相成分３１３、ガードシンボルの送信直交ベースバンド信号の同相成分３１５、フレーム構成信号３２１を入力とし、フレーム構成信号３２１で示されたシンボルに相当する送信直交ベースバンド信号の同相成分を選択し、選択された送信直交ベースバンド信号の同相成分３１９として出力する。
【００４６】
直交成分切り替え部３１８は、データシンボル送信直交ベースバンド信号の直交成分３０８、パイロットシンボルの送信直交ベースバンド信号の直交成分３１０、ランプシンボル直前のパイロットシンボルの送信直交ベースバンド信号の直交成分３１２、ランプシンボルの送信直交ベースバンド信号の直交成分３１４、ガードシンボルの送信直交ベースバンド信号の直交成分３１６、フレーム構成信号３２１を入力とし、フレーム構成信号３２１で示されたシンボルに相当する送信直交ベースバンド信号の直交成分を選択し、選択された送信直交ベースバンド信号の直交成分３２０として出力する。
【００４７】
図４は、同相−直交平面における１６ＱＡＭ、パイロットシンボル、ランプシンボル直前のパイロットシンボル、ランプシンボル、ガードシンボルの信号点配置を示しており、４０１は１６ＱＡＭの信号点、４０２はパイロットシンボルの信号点、４０３はランプシンボル直前のパイロットシンボルの信号点、４０４はランプ、ガードシンボルの信号点を示している。
【００４８】
図５は、同相−直交平面における１６ＱＡＭ、パイロットシンボル、ランプシンボル直前のパイロットシンボル、ランプシンボル、ガードシンボルの信号点配置を示しており、５０１は１６ＱＡＭの信号点、５０２はパイロットシンボルの信号点、５０３はランプシンボル直前のパイロットシンボルの信号点、５０４はランプ、ガードシンボルの信号点を示している。
【００４９】
次に、図２の変調信号生成部２０２の詳しい動作について、図１、図３、図４を用いて説明する。
【００５０】
図３のフレーム構成信号３２１が、図１のデータシンボル１０１、１０２、１０５、１０６、１０７を示しているとき、データシンボル変調信号生成部３０２は、送信ディジタル信号から、たとえば、１６ＱＡＭの送信直交ベースバンド信号の同相成分３０７および直交成分３０８を出力する。そのときの同相Ｉ−直交Ｑ平面の信号点は、図４の４０１のいずれかである。
【００５１】
図３のフレーム構成信号３２１が、図１のパイロットシンボル１０４を示しているとき、パイロットシンボル変調信号生成部３０３は、パイロットシンボルの送信直交ベースバンド信号の同相成分３０９および直交成分３１０を出力する。そのときの同相Ｉ−直交Ｑ平面の信号点は、図４の４０２である。
【００５２】
図３のフレーム構成信号３２１が、図１のパイロットシンボル１０８、つまり、ランプシンボル直前のパイロットシンボルを示しているとき、ランプシンボル直前のパイロットシンボル変調信号生成部３０４は、ランプシンボル直前のパイロットシンボルの送信直交ベースバンド信号の同相成分３１１および直交成分３１２を出力する。そのときの同相Ｉ−直交Ｑ平面の信号点は、図４の４０３であり、このように、ランプシンボル直前のパイロットシンボルの信号点４０３の振幅をパイロットシンボルの信号点４０２より小さくすることで、ガードシンボル１１３、１１４の送信信号の強度を規定値に抑え、隣接チャネル漏洩電力の規定をより精度良く守ることが可能となる。
【００５３】
図３のフレーム構成信号３２１が、図１のランプシンボル１０９、１１０、１１１、１１２を示しているとき、ランプシンボル変調信号生成部３０５は、ランプシンボルの送信直交ベースバンド信号の同相成分３１３および直交成分３１４を出力する。そのときの同相Ｉ−直交Ｑ平面の信号点は、図４の４０４である。
【００５４】
図３のフレーム構成信号３２１が、図１のガードシンボル１１３、１１４を示しているとき、ガードシンボル変調信号生成部３０６は、ガードシンボルの送信直交ベースバンド信号の同相成分３１５および直交成分３１６を出力する。そのときの同相Ｉ−直交Ｑ平面の信号点は、図４の４０４である。
【００５５】
ただし、本実施の形態において、例えば、パイロットシンボルがＢＰＳＫ変調されている場合、図５に示すような信号点配置となり、パイロットシンボル１０４の信号点は４０２となり、ランプシンボル直前のパイロットシンボル１０８の信号点は５０３となる。また、パイロットシンボルの変調方式は、ＢＰＳＫ変調に限ったものではない。
【００５６】
そして、パイロットシンボルを例にして説明したが、復調のためのシンボルであれば、同様に実施することが可能である。このとき、復調のためのシンボルとは、例えば、パイロットシンボル、ユニークワード、同期シンボル、プリアンブル、制御用シンボルを意味している。
【００５７】
また、本実施の形態における送信装置の構成は、図２、図３に限ったものではない。そして、フレーム構成は、図１に限ったものではなく、データシンボルの変調方式は、１６ＱＡＭに限ったものではない。
【００５８】
以上のように本実施の形態によれば、Ｉ−Ｑ平面においてランプシンボル直前の復調のためのシンボルの信号点振幅を前記ランプシンボル直前の復調のためのシンボルを除く復調のためのシンボルの信号点振幅より小さくすることで、送信信号の強度を規定値に抑え、隣接チャネル漏洩電力の規定をより精度良く守ることができる。
【００５９】
（実施の形態２）
実施の形態２では、Ｉ−Ｑ平面においてランプシンボル直前の復調のためのシンボルの信号点に応じて、ランプシンボルの信号点を配置する場合について説明する。
【００６０】
本実施の形態における時間軸におけるフレーム構成の一例は、実施の形態１同様、図１のとおりである。また、本実施の形態における送信装置の構成の一例は、実施の形態１同様、図２のとおりである。
【００６１】
図６は、図２の変調信号生成部２０２の詳細の構成の一例を示しており、データシンボル変調信号生成部６０２は、送信ディジタル信号６０１およびフレーム構成信号６２１を入力とし、フレーム構成信号６２１がデータシンボルであることを示していた場合、１６ＱＡＭ変調し、データシンボル送信直交ベースバンド信号の同相成分６０７および直交成分６０８を出力する。
【００６２】
パイロットシンボル変調信号生成部６０３は、フレーム構成信号６２１を入力とし、フレーム構成信号６２１がパイロットシンボルであることを示していた場合、パイロットシンボルの送信直交ベースバンド信号の同相成分６０９および直交成分６１０を出力する。
【００６３】
パイロットシンボル直後のランプシンボル変調信号生成部６０４は、フレーム構成信号６２１を入力とし、フレーム構成信号６２１がパイロットシンボル直後のランプシンボルであることを示していた場合、パイロットシンボル直後のランプシンボルの送信直交ベースバンド信号の同相成分６１１および直交成分６１２を出力する。
【００６４】
ランプシンボル変調信号生成部６０５は、フレーム構成信号６２１を入力とし、フレーム構成信号６２１がランプシンボルを示していた場合、ランプシンボルの送信直交ベースバンド信号の同相成分６１３および直交成分６１４を出力する。
【００６５】
ガードシンボル変調信号生成部６０６は、フレーム構成信号６２１を入力とし、フレーム構成信号６２１がガードシンボルを示していた場合、ガードシンボルの送信直交ベースバンド信号の同相成分６１５および直交成分６１６を出力する。
【００６６】
同相成分切り替え部６１７は、データシンボル送信直交ベースバンド信号の同相成分６０７、パイロットシンボルの送信直交ベースバンド信号の同相成分６０９、パイロットシンボル直後のランプシンボルの送信直交ベースバンド信号の同相成分６１１、ランプシンボルの送信直交ベースバンド信号の同相成分６１３、ガードシンボルの送信直交ベースバンド信号の同相成分６１５、フレーム構成信号６２１を入力とし、フレーム構成信号６２１で示されたシンボルに相当する送信直交ベースバンド信号の同相成分を選択し、選択された送信直交ベースバンド信号の同相成分６１９として出力する。
【００６７】
直交成分切り替え部６１８は、データシンボル送信直交ベースバンド信号の直交成分６０８、パイロットシンボルの送信直交ベースバンド信号の直交成分６１０、パイロットシンボル直後のランプシンボルの送信直交ベースバンド信号の直交成分６１２、ランプシンボルの送信直交ベースバンド信号の直交成分６１４、ガードシンボルの送信直交ベースバンド信号の直交成分６１６、フレーム構成信号６２１を入力とし、フレーム構成信号６２１で示されたシンボルに相当する送信直交ベースバンド信号の直交成分を選択し、選択された送信直交ベースバンド信号の直交成分６２０として出力する。
【００６８】
図７は、同相−直交平面における１６ＱＡＭ、パイロットシンボル、パイロットシンボル直後のランプシンボル、ランプシンボル、ガードシンボルの信号点配置を示しており、７０１は１６ＱＡＭの信号点、７０２はパイロットシンボルの信号点、７０３はパイロットシンボル直後のランプシンボルの信号点、７０４はランプ、ガードシンボルの信号点を示している。
【００６９】
図８は、同相−直交平面における１６ＱＡＭ、パイロットシンボル、パイロットシンボル直後のランプシンボル、ランプシンボル、ガードシンボルの信号点配置を示しており、８０１は１６ＱＡＭの信号点、８０２はパイロットシンボルの信号点、８０３はパイロットシンボル直後のランプシンボルの信号点、８０４はランプ、ガードシンボルの信号点を示している。
【００７０】
次に、図２の変調信号生成部２０２の詳しい動作について、図１、図６、図７を用いて説明する。
【００７１】
図６のフレーム構成信号６２１が、図１のデータシンボル１０１、１０２、１０５、１０６、１０７を示しているとき、データシンボル変調信号生成部６０２は、送信ディジタル信号から、たとえば、１６ＱＡＭの送信直交ベースバンド信号の同相成分６０７および直交成分６０８を出力する。そのときの同相Ｉ−直交Ｑ平面の信号点は、図７の７０１のいずれかである。
【００７２】
図６のフレーム構成信号６２１が、図１のパイロットシンボル１０４、１０８を示しているとき、パイロットシンボル変調信号生成部６０３は、パイロットシンボルの送信直交ベースバンド信号の同相成分６０９および直交成分６１０を出力する。そのときの同相Ｉ−直交Ｑ平面の信号点は、図７の７０２である。
【００７３】
図６のフレーム構成信号６２１が、図１のランプシンボル１０９、つまり、パイロットシンボル直後のランプシンボルを示しているとき、パイロットシンボル直後のランプシンボル変調信号生成部６０４は、パイロットシンボル直後のランプシンボルの送信直交ベースバンド信号の同相成分６１１および直交成分６１２を出力する。そのときの同相Ｉ−直交Ｑ平面の信号点は、図７の７０３であり、このように、パイロットシンボル直後のランプシンボルの信号点を、パイロットシンボル１０８に応じて配置することで、ガードシンボル１１３、１１４の送信信号の強度を規定値に抑え、隣接チャネル漏洩電力の規定をより精度良く守ることが可能となる。
【００７４】
図６のフレーム構成信号６２１が、図１のランプシンボル１１０、１１１、１１２を示しているとき、ランプシンボル変調信号生成部６０５は、ランプシンボルの送信直交ベースバンド信号の同相成分６１３および直交成分６１４を出力する。そのときの同相Ｉ−直交Ｑ平面の信号点は、図７の７０４である。
【００７５】
図６のフレーム構成信号６２１が、図１のガードシンボル１１３、１１４を示しているとき、ガードシンボル変調信号生成部６０６は、ガードシンボルの送信直交ベースバンド信号の同相成分６１５および直交成分６１６を出力する。そのときの同相Ｉ−直交Ｑ平面の信号点は、図７の７０４である。
【００７６】
ただし、本実施の形態において、例えば、パイロットシンボルがＢＰＳＫ変調されている場合、図８に示すような信号点配置となり、パイロットシンボル１０４、１０８の信号点は８０２となり、パイロットシンボル直後のランプシンボルの信号点は８０３となる。また、パイロットシンボルの変調方式は、ＢＰＳＫ変調に限ったものではない。
【００７７】
そして、パイロットシンボルを例にして説明したが、復調のためのシンボルであれば、同様に実施することが可能である。このとき、復調のためのシンボルとは、例えば、パイロットシンボル、ユニークワード、プリアンブル、制御用シンボルを意味している。
【００７８】
また、本実施の形態における送信装置の構成は、図２、図６に限ったものではない。そして、フレーム構成は、図１に限ったものではなく、データシンボルの変調方式は、１６ＱＡＭに限ったものではない。
【００７９】
そして、Ｉ−Ｑ平面において、パイロットシンボル直後のランプシンボル１０９の信号点のみパイロットシンボル１０８の信号点に応じて配置したが、これに限ったものではなく、ランプシンボル１１０、１１１、１１２の信号点をパイロットシンボル１０８の信号点に応じて、配置してもよい。
【００８０】
以上のように本実施の形態によれば、Ｉ−Ｑ平面においてランプシンボル直前の復調のためのシンボルの信号点に応じて、ランプシンボルの信号点を配置することで、送信信号の強度を規定値に抑え、隣接チャネル漏洩電力の規定をより精度良く守ることができる。
【００８１】
（実施の形態３）
実施の形態３では、ランプシンボル直前に減衰制御シンボルを配置する場合について説明する。
【００８２】
図９は、本実施の形態における時間軸におけるフレーム構成の一例を示しており、９０１、９０２、９０３、９０５、９０６、９０７はデータシンボルを示しており、例えば、１６ＱＡＭで変調されるシンボルとする。９０４、９０８はパイロットシンボル、９０９は減衰制御シンボル、９１０、９１１、９１２はランプシンボル、９１３、９１４はガードシンボルを示している。このとき、ガードシンボル９１３、９１４では、送信信号の強度の規定値が定められている場合、その規定値以内に抑える必要がある。そして、ランプシンボル９１０、９１１、９１２は、ガードシンボル９１３、９１４の送信信号の強度を規定値に抑えるために必要なシンボルである。
【００８３】
本実施の形態における送信装置の構成の一例は、実施の形態１同様、図２のとおりである。
【００８４】
図１０は、図２の変調信号生成部２０２の詳細の構成の一例を示しており、データシンボル変調信号生成部１００２は、送信ディジタル信号１００１およびフレーム構成信号１０２１を入力とし、フレーム構成信号１０２１がデータシンボルであることを示していた場合、１６ＱＡＭ変調し、データシンボル送信直交ベースバンド信号の同相成分１００７および直交成分１００８を出力する。
【００８５】
パイロットシンボル変調信号生成部１００３は、フレーム構成信号１０２１を入力とし、フレーム構成信号１０２１がパイロットシンボルであることを示していた場合、パイロットシンボルの送信直交ベースバンド信号の同相成分１００９および直交成分１０１０を出力する。
【００８６】
減衰制御シンボル変調信号生成部１００４は、フレーム構成信号１０２１を入力とし、フレーム構成信号１０２１が減衰制御シンボルであることを示していた場合、減衰制御シンボルの送信直交ベースバンド信号の同相成分１０１１および直交成分１０１２を出力する。
【００８７】
ランプシンボル変調信号生成部１００５は、フレーム構成信号１０２１を入力とし、フレーム構成信号１０２１がランプシンボルを示していた場合、ランプシンボルの送信直交ベースバンド信号の同相成分１０１３および直交成分１０１４を出力する。
【００８８】
ガードシンボル変調信号生成部１００６は、フレーム構成信号１０２１を入力とし、フレーム構成信号１０２１がガードシンボルを示していた場合、ガードシンボルの送信直交ベースバンド信号の同相成分１０１５および直交成分１０１６を出力する。
【００８９】
同相成分切り替え部１０１７は、データシンボル送信直交ベースバンド信号の同相成分１００７、パイロットシンボルの送信直交ベースバンド信号の同相成分１００９、減衰制御シンボルの送信直交ベースバンド信号の同相成分１０１１、ランプシンボルの送信直交ベースバンド信号の同相成分１０１３、ガードシンボルの送信直交ベースバンド信号の同相成分１０１５、フレーム構成信号１０２１を入力とし、フレーム構成信号１０２１で示されたシンボルに相当する送信直交ベースバンド信号の同相成分を選択し、選択された送信直交ベースバンド信号の同相成分１０１９として出力する。
【００９０】
直交成分切り替え部１０１８は、データシンボル送信直交ベースバンド信号の直交成分１００８、パイロットシンボルの送信直交ベースバンド信号の直交成分１０１０、減衰制御シンボルの送信直交ベースバンド信号の直交成分１０１２、ランプシンボルの送信直交ベースバンド信号の直交成分１０１４、ガードシンボルの送信直交ベースバンド信号の直交成分１０１６、フレーム構成信号１０２１を入力とし、フレーム構成信号１０２１で示されたシンボルに相当する送信直交ベースバンド信号の直交成分を選択し、選択された送信直交ベースバンド信号の直交成分１０２０として出力する。
【００９１】
図１１は、同相−直交平面における１６ＱＡＭ、パイロットシンボル、減衰制御シンボル、ランプシンボル、ガードシンボルの信号点配置を示しており、１１０１は１６ＱＡＭの信号点、１１０２はパイロットシンボルの信号点、１１０３は減衰制御シンボルの信号点、１１０４はランプ、ガードシンボルの信号点を示している。
【００９２】
図１２は、同相−直交平面における１６ＱＡＭ、パイロットシンボル、減衰制御シンボル、ランプシンボル、ガードシンボルの信号点配置を示しており、１２０１は１６ＱＡＭの信号点、１２０２はパイロットシンボルの信号点、１２０３は減衰制御シンボルの信号点、１２０４はランプ、ガードシンボルの信号点を示している。
【００９３】
次に、図２の変調信号生成部２０２の詳しい動作について、図９、図１０、図１１を用いて説明する。
【００９４】
図１０のフレーム構成信号１０２１が、図９のデータシンボル９０１、９０２、９０５、９０６、９０７を示しているとき、データシンボル変調信号生成部１００２は、送信ディジタル信号から、たとえば、１６ＱＡＭの送信直交ベースバンド信号の同相成分１００７および直交成分１００８を出力する。そのときの同相Ｉ−直交Ｑ平面の信号点は、図１１の１１０１のいずれかである。
【００９５】
図１０のフレーム構成信号１０２１が、図９のパイロットシンボル９０４、９０８を示しているとき、パイロットシンボル変調信号生成部１００３は、パイロットシンボルの送信直交ベースバンド信号の同相成分１００９および直交成分１０１０を出力する。そのときの同相Ｉ−直交Ｑ平面の信号点は、図１１の１１０２である。
【００９６】
図１０のフレーム構成信号１０２１が、図９の減衰制御シンボル９０９を示しているとき、減衰制御シンボル変調信号生成部１００４は、減衰制御シンボルの送信直交ベースバンド信号の同相成分１０１１および直交成分１０１２を出力する。そのときの同相Ｉ−直交Ｑ平面の信号点は、図１１の１１０３であり、このように、減衰制御シンボルの信号点を、パイロットシンボルに応じて、信号点を配置することで、ガードシンボル９１３、９１４の送信信号の強度を規定値に抑え、隣接チャネル漏洩電力の規定をより精度良く守ることが可能となる。
【００９７】
図１０のフレーム構成信号１０２１が、図９のランプシンボル９１０、９１１、９１２を示しているとき、ランプシンボル変調信号生成部１００５は、ランプシンボルの送信直交ベースバンド信号の同相成分１０１３および直交成分１０１４を出力する。そのときの同相Ｉ−直交Ｑ平面の信号点は、図１１の１１０４である。
【００９８】
図１０のフレーム構成信号１０２１が、図９のガードシンボル９１３、９１４を示しているとき、ガードシンボル変調信号生成部１００６は、ガードシンボルの送信直交ベースバンド信号の同相成分１０１５および直交成分１０１６を出力する。そのときの同相Ｉ−直交Ｑ平面の信号点は、図１１の１１０４である。
【００９９】
ただし、本実施の形態において、例えば、パイロットシンボルがＢＰＳＫ変調されている場合、図１２に示すような信号点配置となり、パイロットシンボル９０４、９０８の信号点は１２０２となり、減衰制御シンボル９０９の信号点は１２０３となる。また、パイロットシンボルの変調方式は、ＢＰＳＫ変調に限ったものではない。
【０１００】
そして、パイロットシンボルを例にして説明したが、復調のためのシンボルであれば、同様に実施することが可能である。このとき、復調のためのシンボルとは、例えば、パイロットシンボル、ユニークワード、プリアンブル、制御用シンボルを意味している。
【０１０１】
また、本実施の形態における送信装置の構成は、図２、図３に限ったものではない。そして、フレーム構成は、図１に限ったものではなく、減衰制御シンボルを１シンボルとして説明したが、複数シンボルとしてもよい。また、データシンボルの変調方式は、１６ＱＡＭに限ったものではない。
【０１０２】
また、減衰制御シンボルは、パイロットシンボル、ユニークワード、プリアンブル、制御用シンボルという復調のためのシンボルとみなしてもよい。
【０１０３】
以上のように本実施の形態によれば、ランプシンボル直前に減衰制御シンボルを配置することで、送信信号の強度を規定値に抑え、隣接チャネル漏洩電力の規定をより精度良く守ることができる。
【０１０４】
（実施の形態４）
実施の形態４では、ランプシンボル直前に減衰制御シンボルを配置し、Ｉ−Ｑ平面において減衰制御シンボル前の復調のためのシンボルの信号点振幅を、前記減衰制御シンボル前の復調のためのシンボルを除く復調のためのシンボルの信号点振幅より小さくする場合について説明する。
【０１０５】
本実施の形態における時間軸におけるフレーム構成の一例は、実施の形態３同様、図９のとおりである。また、本実施の形態における送信装置の構成の一例は、実施の形態１同様、図２のとおりである。
【０１０６】
図１３は、図２の変調信号生成部２０２の詳細の構成の一例を示しており、データシンボル変調信号生成部１３０２は、送信ディジタル信号１３０１およびフレーム構成信号１３２１を入力とし、フレーム構成信号１３２１がデータシンボルであることを示していた場合、１６ＱＡＭ変調し、データシンボル送信直交ベースバンド信号の同相成分１３０７および直交成分１３０８を出力する。
【０１０７】
パイロットシンボル変調信号生成部１３０３は、フレーム構成信号１３２１を入力とし、フレーム構成信号１３２１がパイロットシンボルであることを示していた場合、パイロットシンボルの送信直交ベースバンド信号の同相成分１３０９および直交成分１３１０を出力する。
【０１０８】
減衰制御シンボル前のパイロットシンボル変調信号生成部１３０４は、フレーム構成信号１３２１を入力とし、フレーム構成信号１３２１が減衰制御シンボル前のパイロットシンボルであることを示していた場合、減衰制御シンボル前のパイロットシンボルの送信直交ベースバンド信号の同相成分１３１１および直交成分１３１２を出力する。
【０１０９】
減衰制御シンボル変調信号生成部１３０５は、フレーム構成信号１３２１を入力とし、フレーム構成信号１３２１が減衰制御シンボルを示していた場合、減衰制御プシンボルの送信直交ベースバンド信号の同相成分１３１３および直交成分１３１４を出力する。
【０１１０】
ランプおよびガードシンボル変調信号生成部１３０６は、フレーム構成信号１３２１を入力とし、フレーム構成信号１３２１がランプまたはガードシンボルを示していた場合、ランプまたはガードシンボルの送信直交ベースバンド信号の同相成分１３１５および直交成分１３１６を出力する。
【０１１１】
同相成分切り替え部１３１７は、データシンボル送信直交ベースバンド信号の同相成分１３０７、パイロットシンボルの送信直交ベースバンド信号の同相成分１３０９、減衰制御シンボル前のパイロットシンボルの送信直交ベースバンド信号の同相成分１３１１、減衰制御シンボルの送信直交ベースバンド信号の同相成分１３１３、ランプまたはガードシンボルの送信直交ベースバンド信号の同相成分１３１５、フレーム構成信号１３２１を入力とし、フレーム構成信号１３２１で示されたシンボルに相当する送信直交ベースバンド信号の同相成分を選択し、選択された送信直交ベースバンド信号の同相成分１３１９として出力する。
【０１１２】
直交成分切り替え部１３１８は、データシンボル送信直交ベースバンド信号の直交成分１３０８、パイロットシンボルの送信直交ベースバンド信号の直交成分１３１０、減衰制御シンボル前のパイロットシンボルの送信直交ベースバンド信号の直交成分１３１２、減衰制御シンボルの送信直交ベースバンド信号の直交成分１３１４、ランプまたはガードシンボルの送信直交ベースバンド信号の直交成分１３１６、フレーム構成信号１３２１を入力とし、フレーム構成信号１３２１で示されたシンボルに相当する送信直交ベースバンド信号の直交成分を選択し、選択された送信直交ベースバンド信号の直交成分１３２０として出力する。
【０１１３】
図１４は、同相−直交平面における１６ＱＡＭ、パイロットシンボル、減衰制御シンボル、ランプシンボル、ガードシンボルの信号点配置を示しており、１４０１は１６ＱＡＭの信号点、１４０２はパイロットシンボルの信号点、１４０３は減衰制御シンボル前のパイロットシンボルの信号点、１４０４は減衰制御シンボルの信号点、１４０５はランプ、ガードシンボルの信号点を示している。
【０１１４】
図１５は、同相−直交平面における１６ＱＡＭ、パイロットシンボル、減衰制御シンボル、ランプシンボル、ガードシンボルの信号点配置を示しており、１５０１は１６ＱＡＭの信号点、１５０２はパイロットシンボルの信号点、１５０３は減衰制御シンボル前のパイロットシンボルの信号点、１５０４は減衰制御シンボルの信号点、１５０５はランプ、ガードシンボルの信号点を示している。
【０１１５】
次に、図２の変調信号生成部２０２の詳しい動作について、図９、図１３、図１４を用いて説明する。
【０１１６】
図１３のフレーム構成信号１３２１が、図９のデータシンボル９０１、９０２、９０５、９０６、９０７を示しているとき、データシンボル変調信号生成部１３０２は、送信ディジタル信号から、たとえば、１６ＱＡＭの送信直交ベースバンド信号の同相成分１３０７および直交成分１３０８を出力する。そのときの同相Ｉ−直交Ｑ平面の信号点は、図１４の１４０１のいずれかである。
【０１１７】
図１３のフレーム構成信号１３２１が、図９のパイロットシンボル９０４を示しているとき、パイロットシンボル変調信号生成部１３３は、パイロットシンボルの送信直交ベースバンド信号の同相成分１３０９および直交成分１３１０を出力する。そのときの同相Ｉ−直交Ｑ平面の信号点は、図１４の１４０２である。
【０１１８】
図１３のフレーム構成信号１３２１が、図９の減衰制御シンボル前のパイロットシンボル９０８を示しているとき、減衰制御シンボル前のパイロットシンボル変調信号生成部１３０４は、減衰制御シンボル前のパイロットシンボルの送信直交ベースバンド信号の同相成分１３１１および直交成分１３１２を出力する。そのときの同相Ｉ−直交Ｑ平面の信号点は、図１４の１４０３であり、このように、減衰制御シンボル前のパイロットシンボルの信号点振幅を、前記減衰制御シンボル前のパイロットシンボルを除くパイロットシンボルの信号点振幅より小さくすることで、ガードシンボル９１３、９１４の送信信号の強度を規定値に抑え、隣接チャネル漏洩電力の規定をより精度良く守ることが可能となる。
【０１１９】
図１３のフレーム構成信号１３２１が、図９の減衰制御シンボル９０９を示しているとき、減衰制御シンボル変調信号生成部１３０５は、減衰制御シンボルの送信直交ベースバンド信号の同相成分１３１３および直交成分１３１４を出力する。そのときの同相Ｉ−直交Ｑ平面の信号点は、図１４の１４０４である。このように、減衰制御シンボルの信号点を、減衰制御シンボル前のパイロットシンボルに応じて、信号点を配置することで、ガードシンボル９１３、９１４の送信信号の強度を規定値に抑え、隣接チャネル漏洩電力の規定をより精度良く守ることが可能となる。
【０１２０】
図１３のフレーム構成信号１３２１が、図９のランプシンボル９１０、９１１、９１２、ガードシンボル９１３、９１４を示しているとき、ランプおよびガードシンボル変調信号生成部１３０６は、ランプまたはガードシンボルの送信直交ベースバンド信号の同相成分１３１５および直交成分１３１６を出力する。そのときの同相Ｉ−直交Ｑ平面の信号点は、図１４の１４０５である。
【０１２１】
ただし、本実施の形態において、例えば、パイロットシンボルがＢＰＳＫ変調されている場合、図１５に示すような信号点配置となり、パイロットシンボル９０４の信号点は１５０２となり、減衰制御シンボル前のパイロットシンボル９０８の信号点は１５０３となり、減衰制御シンボル９０９の信号点は１５０４となる。また、パイロットシンボルの変調方式は、ＢＰＳＫ変調に限ったものではない。
【０１２２】
そして、パイロットシンボルを例にして説明したが、復調のためのシンボルであれば、同様に実施することが可能である。このとき、復調のためのシンボルとは、例えば、パイロットシンボル、ユニークワード、プリアンブル、制御用シンボルを意味している。
【０１２３】
また、本実施の形態における送信装置の構成は、図２、図１３に限ったものではない。そして、フレーム構成は、図９に限ったものではなく、減衰制御シンボルを１シンボルとして説明したが、複数シンボルとしてもよい。また、データシンボルの変調方式は、１６ＱＡＭに限ったものではない。
【０１２４】
また、減衰制御シンボルは、パイロットシンボル、ユニークワード、プリアンブル、制御用シンボルという復調のためのシンボルとみなしてもよい。
【０１２５】
以上のように本実施の形態によれば、ランプシンボル直前に減衰制御シンボルを配置し、Ｉ−Ｑ平面において減衰制御シンボル前の復調のためのシンボルの信号点振幅を、前記減衰制御シンボル前の復調のためのシンボルを除く復調のためのシンボルの信号点振幅より小さくすることで、送信信号の強度を規定値に抑え、隣接チャネル漏洩電力の規定をより精度良く守ることができる。
【０１２６】
（実施の形態５）
実施の形態５では、Ｉ−Ｑ平面においてランプシンボル直前のデータシンボルの信号点に応じて、ランプシンボルの信号点を配置する場合について説明する。
【０１２７】
図１６は、本実施の形態における時間軸におけるフレーム構成の一例を示しており、１６０１、１６０２、１６０３、１６０７、１６０８はデータシンボルを示しており、例えば、ＱＰＳＫで変調されるシンボルとする。１６０４、１６０５、１６０６はパイロットシンボル、１６０９、１６１０、１６１１、１６１２はランプシンボル、１６１３、１６１４はガードシンボルを示している。このとき、ガードシンボル１６１３、１６１４では、送信信号の強度の規定値が定められている場合、その規定値以内に抑える必要がある。そして、ランプシンボル１６０９、１６１０、１６１１、１６１２は、ガードシンボル１６１３、１６１４の送信信号の強度を規定値に抑えるために必要なシンボルである。
【０１２８】
本実施の形態における送信装置の構成の一例は、実施の形態１同様、図２のとおりである。
【０１２９】
図１７は、図２の変調信号生成部２０２の詳細の構成の一例を示しており、データシンボル変調信号生成部１７０２は、送信ディジタル信号１７０１およびフレーム構成信号１７２１を入力とし、フレーム構成信号１７２１がデータシンボルであることを示していた場合、ＱＰＳＫ変調し、データシンボル送信直交ベースバンド信号の同相成分１７０７および直交成分１７０８を出力する。
【０１３０】
パイロットシンボル変調信号生成部１７０３は、フレーム構成信号１７２１を入力とし、フレーム構成信号１７２１がパイロットシンボルであることを示していた場合、パイロットシンボルの送信直交ベースバンド信号の同相成分１７０９および直交成分１７１０を出力する。
【０１３１】
データシンボル直後のランプシンボル変調信号生成部１７０４は、フレーム構成信号１７２１、ランプシンボル直前のデータシンボルの情報１７２２を入力とし、フレーム構成信号１７２１がパイロットシンボル直後のランプシンボルであることを示していた場合、ランプシンボル直前のデータシンボルの情報１７２２に基づいて、データシンボル直後のランプシンボルの送信直交ベースバンド信号の同相成分１７１１および直交成分１７１２を出力する。
【０１３２】
ランプシンボル変調信号生成部１７０５は、フレーム構成信号１７２１を入力とし、フレーム構成信号１７２１がデータシンボル直後のランプシンボルを除くランプシンボルを示していた場合、ランプシンボルの送信直交ベースバンド信号の同相成分１７１３および直交成分１７１４を出力する。
【０１３３】
ガードシンボル変調信号生成部１７０６は、フレーム構成信号１７２１を入力とし、フレーム構成信号１７２１がガードシンボルを示していた場合、ガードシンボルの送信直交ベースバンド信号の同相成分１７１５および直交成分１７１６を出力する。
【０１３４】
同相成分切り替え部１７１７は、データシンボル送信直交ベースバンド信号の同相成分１７０７、パイロットシンボルの送信直交ベースバンド信号の同相成分１７０９、データシンボル直後のランプシンボルの送信直交ベースバンド信号の同相成分１７１１、ランプシンボルの送信直交ベースバンド信号の同相成分１７１３、ガードシンボルの送信直交ベースバンド信号の同相成分１７１５、フレーム構成信号１７２１を入力とし、フレーム構成信号１７２１で示されたシンボルに相当する送信直交ベースバンド信号の同相成分を選択し、選択された送信直交ベースバンド信号の同相成分１７１９として出力する。
【０１３５】
直交成分切り替え部１７１８は、データシンボル送信直交ベースバンド信号の直交成分１７０８、パイロットシンボルの送信直交ベースバンド信号の直交成分１７１０、データシンボル直後のランプシンボルの送信直交ベースバンド信号の直交成分１７１２、ランプシンボルの送信直交ベースバンド信号の直交成分１７１４、ガードシンボルの送信直交ベースバンド信号の直交成分１７１６、フレーム構成信号１７２１を入力とし、フレーム構成信号１７２１で示されたシンボルに相当する送信直交ベースバンド信号の直交成分を選択し、選択された送信直交ベースバンド信号の直交成分１７２０として出力する。
【０１３６】
図１８は、同相−直交平面におけるＱＰＳＫ、パイロットシンボル、データシンボル直後のランプシンボル、ランプシンボル、ガードシンボルの信号点配置を示しており、１８０１、１８０２、１８０３、１８０４はＱＰＳＫの信号点、１８０５、１８０６はパイロットシンボルの信号点、１８０７、１８０８、１８０９、１８１０はデータシンボル直後のランプシンボルの信号点、１８１１はランプ、ガードシンボルの信号点を示している。
【０１３７】
次に、図２の変調信号生成部２０２の詳しい動作について、図１６、図１７、図１８を用いて説明する。
【０１３８】
図１７のフレーム構成信号１７２１が、図１６のデータシンボル１６０１、１６０２、１６０３、１６０７、１６０８を示しているとき、データシンボル変調信号生成部１７０２は、送信ディジタル信号から、たとえば、ＱＰＳＫの送信直交ベースバンド信号の同相成分１７０７および直交成分１７０８を出力する。そのときの同相Ｉ−直交Ｑ平面の信号点は、図１８の１８０１、１８０２、１８０３、１８０４のいずれかである。
【０１３９】
図１７のフレーム構成信号１７２１が、図１６のパイロットシンボル１６０４、１６０５、１６０６を示しているとき、パイロットシンボル変調信号生成部１７０３は、パイロットシンボルの送信直交ベースバンド信号の同相成分１７０９および直交成分１７１０を出力する。そのときの同相Ｉ−直交Ｑ平面の信号点は、図１８の１８０５、１８０６のいずれかである。
【０１４０】
図１７のフレーム構成信号１７２１が、図１６のランプシンボル１６０９、つまり、データシンボル直後のランプシンボルを示しているとき、データシンボル直後のランプシンボル変調信号生成部１７０４は、ランプシンボル直前のデータシンボルの情報１７２２に基づいて、データシンボル直後のランプシンボルの送信直交ベースバンド信号の同相成分１７１１および直交成分１７１２を出力する。そのときの同相Ｉ−直交Ｑ平面のデータシンボル直後のランプシンボルの信号点は、例えば、ランプシンボル直前のデータシンボルの情報１７２２から、データシンボル１６０８の信号点が１８０１であることを示していた場合、１８０７とする。そして、データシンボル１６０８の信号点が１８０２であることを示していた場合１８０８とし、１８０３であることを示していた場合１８０９とし、１８０４であることを示していた場合１８１０とする。このように、データシンボル直後のランプシンボルの信号点を、データシンボル１６０８に応じて配置することで、ガードシンボル１６１３、１６１４の送信信号の強度を規定値に抑え、隣接チャネル漏洩電力の規定をより精度良く守ることが可能となる。
【０１４１】
図１７のフレーム構成信号１７２１が、図１６のランプシンボル１６１０、１６１１、１６１２を示しているとき、ランプシンボル変調信号生成部１７０５は、ランプシンボルの送信直交ベースバンド信号の同相成分１７１３および直交成分１７１４を出力する。そのときの同相Ｉ−直交Ｑ平面の信号点は、図１８の１８１１である。
【０１４２】
図１７のフレーム構成信号１７２１が、図１６のガードシンボル１６１３、１６１４を示しているとき、ガードシンボル変調信号生成部１７０６は、ガードシンボルの送信直交ベースバンド信号の同相成分１７１５および直交成分１７１６を出力する。そのときの同相Ｉ−直交Ｑ平面の信号点は、図１８の１８１１である。
【０１４３】
本実施の形態における送信装置の構成は、図２、図１７に限ったものではない。そして、フレーム構成は、図１６に限ったものではなく、データシンボルの変調方式は、ＱＰＳＫに限ったものではない。
【０１４４】
そして、Ｉ−Ｑ平面において、パイロットシンボル直後のランプシンボル１６０９の信号点のみデータシンボル１６０８の信号点に応じて配置したが、これに限ったものではなく、ランプシンボル１６１０、１６１１、１６１２の信号点をデータシンボル１６０８の信号点に応じて、配置してもよい。
【０１４５】
以上のように本実施の形態によれば、Ｉ−Ｑ平面においてランプシンボル直前のデータシンボルの信号点に応じて、ランプシンボルの信号点を配置することで、送信信号の強度を規定値に抑え、隣接チャネル漏洩電力の規定をより精度良く守ることができる。
【０１４６】
（実施の形態６）
実施の形態６では、ランプシンボル直前に減衰制御シンボルを配置し、Ｉ−Ｑ平面において減衰制御シンボル前のデータシンボルに応じて、前記減衰制御シンボルの信号点を配置する場合について説明する。
【０１４７】
図１９は、本実施の形態における時間軸におけるフレーム構成の一例を示しており、１９０１、１９０２、１９０３、１９０７、１９０８はデータシンボルを示しており、例えば、ＱＰＳＫで変調されるシンボルとする。１９０４、１９０５、１９０６はパイロットシンボル、１９０９は減衰制御シンボル、１９１０、１９１１、１９１２はランプシンボル、１９１３、１９１４はガードシンボルを示している。このとき、ガードシンボル１９１３、１９１４では、送信信号の強度の規定値が定められている場合、その規定値以内に抑える必要がある。そして、ランプシンボル１９１０、１９１１、１９１２は、ガードシンボル１９１３、１９１４の送信信号の強度を規定値に抑えるために必要なシンボルである。
【０１４８】
本実施の形態における送信装置の構成の一例は、実施の形態１同様、図２のとおりである。
【０１４９】
図２０は、図２の変調信号生成部２０２の詳細の構成の一例を示しており、データシンボル変調信号生成部２００２は、送信ディジタル信号２００１およびフレーム構成信号２０２１を入力とし、フレーム構成信号２０２１がデータシンボルであることを示していた場合、ＱＰＳＫ変調し、データシンボル送信直交ベースバンド信号の同相成分２００７および直交成分２００８を出力する。
【０１５０】
パイロットシンボル変調信号生成部２００３は、フレーム構成信号２０２１を入力とし、フレーム構成信号２０２１がパイロットシンボルであることを示していた場合、パイロットシンボルの送信直交ベースバンド信号の同相成分２００９および直交成分２０１０を出力する。
【０１５１】
減衰制御シンボル変調信号生成部２００４は、フレーム構成信号２０２１、減衰制御シンボル直前のデータシンボルの情報２０２２を入力とし、フレーム構成信号２０２１が減衰制御シンボルであることを示していた場合、減衰制御シンボル直前のデータシンボルの情報２０２２に基づいて、減衰制御シンボルの送信直交ベースバンド信号の同相成分２０１１および直交成分２０１２を出力する。
【０１５２】
ランプシンボル変調信号生成部２００５は、フレーム構成信号２０２１を入力とし、フレーム構成信号２０２１がランプシンボルを示していた場合、ランプシンボルの送信直交ベースバンド信号の同相成分２０１３および直交成分２０１４を出力する。
【０１５３】
ガードシンボル変調信号生成部２００６は、フレーム構成信号２０２１を入力とし、フレーム構成信号２０２１がガードシンボルを示していた場合、ガードシンボルの送信直交ベースバンド信号の同相成分２０１５および直交成分２０１６を出力する。
【０１５４】
同相成分切り替え部２０１７は、データシンボル送信直交ベースバンド信号の同相成分２００７、パイロットシンボルの送信直交ベースバンド信号の同相成分２００９、減衰制御シンボルの送信直交ベースバンド信号の同相成分２０１１、ランプシンボルの送信直交ベースバンド信号の同相成分２０１３、ガードシンボルの送信直交ベースバンド信号の同相成分２０１５、フレーム構成信号２０２１を入力とし、フレーム構成信号２０２１で示されたシンボルに相当する送信直交ベースバンド信号の同相成分を選択し、選択された送信直交ベースバンド信号の同相成分２０１９として出力する。
【０１５５】
直交成分切り替え部２０１８は、データシンボル送信直交ベースバンド信号の直交成分２００８、パイロットシンボルの送信直交ベースバンド信号の直交成分２０１０、減衰制御シンボルの送信直交ベースバンド信号の直交成分２０１２、ランプシンボルの送信直交ベースバンド信号の直交成分２０１４、ガードシンボルの送信直交ベースバンド信号の直交成分２０１６、フレーム構成信号２０２１を入力とし、フレーム構成信号２０２１で示されたシンボルに相当する送信直交ベースバンド信号の直交成分を選択し、選択された送信直交ベースバンド信号の直交成分２０２０として出力する。
【０１５６】
図２１は、同相−直交平面におけるＱＰＳＫ、パイロットシンボル、減衰制御シンボル、ランプシンボル、ガードシンボルの信号点配置を示しており、２１０１、２１０２、２１０３、２１０４はＱＰＳＫの信号点、２１０５、２１０６はパイロットシンボルの信号点、２１０７、２１０８、２１０９、２１１０は減衰制御シンボルの信号点、２１１１はランプ、ガードシンボルの信号点を示している。
【０１５７】
次に、図２の変調信号生成部２０２の詳しい動作について、図１９、図２０、図２１を用いて説明する。
【０１５８】
図２０のフレーム構成信号２０２１が、図１９のデータシンボル１９０１、１９０２、１９０３、１９０７、１９０８を示しているとき、データシンボル変調信号生成部２００２は、送信ディジタル信号から、たとえば、ＱＰＳＫの送信直交ベースバンド信号の同相成分２００７および直交成分２００８を出力する。そのときの同相Ｉ−直交Ｑ平面の信号点は、図２１の２１０１、２１０２、２１０３、２１０４のいずれかである。
【０１５９】
図２０のフレーム構成信号２０２１が、図１９のパイロットシンボル１９０４、１９０５、１９０６を示しているとき、パイロットシンボル変調信号生成部２００３は、パイロットシンボルの送信直交ベースバンド信号の同相成分２００９および直交成分２０１０を出力する。そのときの同相Ｉ−直交Ｑ平面の信号点は、図２１の２１０５、２１０６のいずれかである。
【０１６０】
図２０のフレーム構成信号２０２１が、図１９の減衰制御シンボル１９０９、を示しているとき、減衰制御シンボル変調信号生成部２００４は、減衰制御シンボル直前のデータシンボルの情報２０２２に基づいて、減衰制御シンボルの送信直交ベースバンド信号の同相成分２０１１および直交成分２０１２を出力する。そのときの同相Ｉ−直交Ｑ平面の減衰制御シンボルの信号点は、例えば、減衰制御シンボル直前のデータシンボルの情報２０２２から、データシンボル１９０８の信号点が２１０１であることを示していた場合、２１０７とする。そして、データシンボル１９０８の信号点が２１０２であることを示していた場合２１０８とし、２１０３であることを示していた場合２１０９とし、２１０４であることを示していた場合２１１０とする。このように、減衰制御シンボルの信号点を、データシンボル１９０８に応じて配置することで、ガードシンボル１９１３、１９１４の送信信号の強度を規定値に抑え、隣接チャネル漏洩電力の規定をより精度良く守ることが可能となる。
【０１６１】
図２０のフレーム構成信号２０２１が、図１９のランプシンボル１９１０、１９１１、１９１２を示しているとき、ランプシンボル変調信号生成部２００５は、ランプシンボルの送信直交ベースバンド信号の同相成分２０１３および直交成分２０１４を出力する。そのときの同相Ｉ−直交Ｑ平面の信号点は、図２１の２１１１である。
【０１６２】
図２０のフレーム構成信号２０２１が、図１９のガードシンボル１９１３、１９１４を示しているとき、ガードシンボル変調信号生成部２００６は、ガードシンボルの送信直交ベースバンド信号の同相成分２０１５および直交成分２０１６を出力する。そのときの同相Ｉ−直交Ｑ平面の信号点は、図２１の２１１１である。
【０１６３】
本実施の形態における送信装置の構成は、図２、図２０に限ったものではない。そして、フレーム構成は、図１９に限ったものではなく、データシンボルの変調方式は、ＱＰＳＫに限ったものではない。また、減衰制御シンボルを１シンボルとして説明したが、複数シンボルとしてもよい。
【０１６４】
また、減衰制御シンボルは、パイロットシンボル、ユニークワード、プリアンブル、制御用シンボルという復調のためのシンボルとみなしてもよい。
【０１６５】
以上のように本実施の形態によれば、ランプシンボル直前に減衰制御シンボルを配置し、Ｉ−Ｑ平面において減衰制御シンボル前のデータシンボルに応じて、前記減衰制御シンボルの信号点を配置することで、送信信号の強度を規定値に抑え、隣接チャネル漏洩電力の規定をより精度良く守ることができる。
【０１６６】
（実施の形態７）
実施の形態７では、減衰制御シンボルを用いて、伝送路歪みおよび周波数オフセットを推定する受信装置について説明する。
【０１６７】
本実施の形態における時間軸におけるフレーム構成の一例は、実施の形態３同様、図９のとおりである。
【０１６８】
図２２は、本実施の形態における受信装置の構成の一例を示しており、無線部２２０３は、アンテナ２２０１で受信した受信信号２２０２を入力とし、受信直交ベースバンド信号２２０４を出力する。
【０１６９】
伝送路歪み推定部２２０５は、受信直交ベースバンド信号２２０４を入力とし、伝送路歪みを推定し、伝送路歪み推定信号２２０６を出力する。
【０１７０】
周波数オフセット推定部２２０７は、受信直交ベースバンド信号２２０４を入力とし、周波数オフセットを推定し、周波数オフセット推定信号２２０８を出力する。
【０１７１】
復調部２２０９は、受信直交ベースバンド信号２２０４、伝送路歪み推定信号２２０６、周波数オフセット推定信号２２０８を入力とし、受信直交ベースバンド信号２２０４から、周波数オフセット、伝送路歪みを除去し、復調し、受信ディジタル信号２２１０を出力する。
【０１７２】
図２３は、図２２の伝送路歪み推定部２２０５の詳細の構成の一例を示しており、パイロットシンボル抽出機能２３０２は、受信直交ベースバンド信号２３０１を入力とし、パイロットシンボルを抽出し、パイロットシンボル信号２３０３を出力する。
【０１７３】
減衰制御シンボル抽出機能２３０４は、受信直交ベースバンド信号２３０１を入力とし、減衰制御シンボルを抽出し、減衰制御シンボル信号２３０５を出力する。
【０１７４】
伝送路歪み推定機能２３０６は、パイロットシンボル信号２３０３および減衰制御シンボル信号２３０５を入力とし、伝送路歪みを推定し、伝送路歪み推定信号２３０７を出力する。
【０１７５】
図２４は、図２２の周波数オフセット推定部２２０７の詳細の構成の一例を示しており、パイロットシンボル抽出機能２４０２は、受信直交ベースバンド信号２４０１を入力とし、パイロットシンボルを抽出し、パイロットシンボル信号２４０３を出力する。
【０１７６】
減衰制御シンボル抽出機能２４０４は、受信直交ベースバンド信号２４０１を入力とし、減衰制御シンボルを抽出し、減衰制御シンボル信号２４０５を出力する。
【０１７７】
周波数オフセット推定機能２４０６は、パイロットシンボル信号２４０３および減衰制御シンボル信号２４０５を入力とし、周波数オフセットを推定し、周波数オフセット推定信号２４０７を出力する。
【０１７８】
図２５は、本実施の形態における受信装置の構成の一例を示しており、無線部２５０３は、アンテナ２５０１で受信した受信信号２５０２を入力とし、受信直交ベースバンド信号２５０４を出力する。
【０１７９】
周波数オフセット推定部２５０５は、受信直交ベースバンド信号２５０４を入力とし、周波数オフセットを推定し、周波数オフセット推定信号２５０６を出力する。
【０１８０】
周波数オフセット除去部２５０７は、受信直交ベースバンド信号２５０４、周波数オフセット推定信号２５０６を入力とし、周波数オフセットを除去し、周波数オフセット除去後の受信直交ベースバンド信号２５０８を出力する。
【０１８１】
伝送路歪み推定部２５０９は、周波数オフセット除去後の受信直交ベースバンド信号２５０８を入力とし、伝送路歪みを推定し、伝送路歪み推定信号２５１０を出力する。
【０１８２】
伝送路歪み除去部および復調部は、周波数オフセット除去後の受信直交ベースバンド信号２５０８、伝送路歪み推定信号２５１０を入力とし、伝送路歪みを除去し、復調を行い、受信ディジタル信号２５１２を出力する。
【０１８３】
図２６は、本実施の形態における受信装置の構成の一例を示しており、無線部２６０３は、アンテナ２６０１で受信した受信信号２６０２を入力とし、受信直交ベースバンド信号２６０４を出力する。
【０１８４】
伝送路歪み推定部２６０５は、受信直交ベースバンド信号２６０４を入力とし、伝送路歪みを推定し、伝送路歪み推定信号２６０６を出力する。
【０１８５】
伝送路歪み除去部２６０７は、受信直交ベースバンド信号２６０４、伝送路歪み推定信号２６０６を入力とし、伝送路歪みを除去し、伝送路歪み除去後の受信直交ベースバンド信号２６０８を出力する。
【０１８６】
周波数オフセット推定部２６１０は、伝送路歪み除去後の受信直交ベースバンド信号２６０８を入力とし、周波数オフセットを推定し、周波数オフセット推定信号２６１０を出力する。
【０１８７】
周波数オフセット除去部および復調部２６１１は、伝送路歪み除去後の受信直交ベースバンド信号２６０８、周波数オフセット推定信号２６１０を入力とし、周波数オフセットを除去し、復調を行い、受信ディジタル信号２６１２を出力する。
【０１８８】
次に、図２２の伝送路歪み推定部２２０５の詳しい動作について、図９、図２３を用いて説明する。
【０１８９】
図２３のパイロットシンボル抽出機能２３０２は、受信直交ベースバンド信号２３０１を入力とし、図９におけるパイロットシンボル９０４、９０８を抽出し、パイロットシンボル信号２３０３を出力する。
【０１９０】
減衰制御シンボル抽出機能２３０４は、受信直交ベースバンド信号２３０１を入力とし、図９における減衰制御シンボル９０９を抽出し、減衰制御シンボル信号２３０５を出力する。
【０１９１】
伝送路歪み推定機能２３０６は、パイロットシンボル信号２３０３および減衰制御シンボル信号２３０５を入力とし、パイロットシンボルおよび減衰制御シンボルから伝送路歪みを推定し、伝送路歪み推定信号２３０７を出力する。
【０１９２】
このように、伝送路歪みを推定するのに減衰制御シンボルを利用することにより、伝送路歪みの推定精度が向上し、受信装置の受信感度が向上する。
【０１９３】
次に、図２２の周波数オフセット推定部２２０７の詳しい動作について、図９、図２４を用いて説明する。
【０１９４】
図２４のパイロットシンボル抽出機能２４０２は、受信直交ベースバンド信号２４０１を入力とし、図９におけるパイロットシンボル９０４、９０８を抽出し、パイロットシンボル信号２４０３を出力する。
【０１９５】
減衰制御シンボル抽出機能２４０４は、受信直交ベースバンド信号２４０１を入力とし、図９における減衰制御シンボル９０９を抽出し、減衰制御シンボル信号２４０５を出力する。
【０１９６】
周波数オフセット推定機能２４０６は、パイロットシンボル信号２４０３および減衰制御シンボル信号２４０５を入力とし、パイロットシンボルおよび減衰制御シンボルから周波数オフセットを推定し、周波数オフセット推定信号２４０７を出力する。
【０１９７】
このように、周波数オフセットを推定するのに減衰制御シンボルを利用することにより、周波数オフセットの推定精度が向上し、受信装置の受信感度が向上する。
【０１９８】
本実施の形態における受信装置の構成は、図２２に限ったものではなく、例えば、図２５、図２６、また、伝送路歪み推定部、周波数オフセット推定部のいずれか一方を具備していない構成も考えられる。そして、図２５および図２６において、伝送路歪み推定部２５０９、２６０５は、図２３の構成で同様に伝送路歪みを推定できる。また、周波数オフセット推定部２５０６および２６０９は、図２４の構成で、同様に周波数オフセットを推定できる。そして、伝送路歪み推定部では、周波数オフセットも同時に除去することが可能である。
【０１９９】
そして、フレーム構成は、図９に限ったものではなく、図１９でも同様に考えられる。また、減衰制御シンボルを１シンボルとして説明したが、複数シンボルとしてもよい。また、減衰制御シンボルは、パイロットシンボル、ユニークワード、プリアンブル、制御用シンボルという復調のためのシンボルとみなしてもよい。
【０２００】
そして、本実施の形態の説明において、減衰制御シンボルをランプシンボルと置き換えて実施しても、同様に実施することが可能である。このとき、実施の形態２または実施の形態５で説明したように、ランプシンボルにおいて、信号点が配置されている必要がある。
【０２０１】
以上のように本実施の形態によれば、受信装置において減衰制御シンボルを用いて、伝送路歪みおよび周波数オフセットを推定することで、受信装置における伝送路歪みの推定精度、および、周波数オフセットの推定精度が向上し、受信感度が向上する。
【０２０２】
【発明の効果】
以上のように本発明によれば、Ｉ−Ｑ平面において、ランプシンボル直前の復調のためのシンボルの信号点振幅を前記ランプシンボル直前の復調のためのシンボルを除く復調のためのシンボルの信号点振幅より小さくした変調信号を出力する変調信号生成部を具備する送信装置であり、これにより、送信信号の強度を規定値に抑え、隣接チャネル漏洩電力の規定をより精度良く守ることができるという有利な効果が得られる。
【図面の簡単な説明】
【図１】本発明第１の実施の形態における時間軸におけるフレーム構成を示す図
【図２】同第１の実施の形態における送信装置の構成を示す図
【図３】同第１の実施の形態における変調信号生成部の構成を示す図
【図４】同第１の実施の形態におけるＩ−Ｑ平面における信号点配置を示す図
【図５】同第１の実施の形態におけるＩ−Ｑ平面における信号点配置を示す図
【図６】同第２の実施の形態における変調信号生成部の構成を示す図
【図７】同第２の実施の形態におけるＩ−Ｑ平面における信号点配置を示す図
【図８】同第２の実施の形態におけるＩ−Ｑ平面における信号点配置を示す図
【図９】同第３の実施の形態における時間軸におけるフレーム構成を示す図
【図１０】同第３の実施の形態における変調信号生成部の構成を示す図
【図１１】同第３の実施の形態におけるＩ−Ｑ平面における信号点配置を示す図
【図１２】同第３の実施の形態におけるＩ−Ｑ平面における信号点配置を示す図
【図１３】同第４の実施の形態における変調信号生成部の構成を示す図
【図１４】同第４の実施の形態におけるＩ−Ｑ平面における信号点配置を示す図
【図１５】同第４の実施の形態におけるＩ−Ｑ平面における信号点配置を示す図
【図１６】同第５の実施の形態における時間軸におけるフレーム構成を示す図
【図１７】同第５の実施の形態における変調信号生成部の構成を示す図
【図１８】同第５の実施の形態におけるＩ−Ｑ平面における信号点配置を示す図
【図１９】同第６の実施の形態における時間軸におけるフレーム構成の一例を示す図
【図２０】同第６の実施の形態における変調信号生成部の構成を示す図
【図２１】同第６の実施の形態におけるＩ−Ｑ平面における信号点配置を示す図
【図２２】同第７の実施の形態における受信装置の構成を示す図
【図２３】同第７の実施の形態における伝送路歪み推定部の構成を示す図
【図２４】同第７の実施の形態における周波数オフセット補償部の構成を示す図
【図２５】同第７の実施の形態における受信装置の構成を示す図
【図２６】同第７の実施の形態における受信装置の構成を示す図
【図２７】従来のランプ制御装置の構成を示す図
【符号の説明】
１０１，１０２，１０３，１０５，１０６，１０７，９０１，９０２，９０３，９０５，９０６，９０７，１６０１，１６０２，１６０３，１６０７，１６０８  データシンボル
１０４，１０８，９０４，９０８，１６０４，１６０５，１６０６  パイロットシンボル
１０９，１１０，１１１，１１２，９１０，９１１，９１２，１６０９，１６１０，１６１１，１６１２  ランプシンボル
１１３，１１４，９１３，９１４，１６１３，１６１４  ガードシンボル
２０１，３０１，６０１，１００１，１３０１，２００１，２７０１  送信ディジタル信号
２０２，２７０２  変調信号生成部
２０３，２７０３  送信直交ベースバンド信号の同相成分
２０４，２７０４  送信直交ベースバンド信号の直交成分
２０５，２０６，２７０５，２７０６  送信フィルタ
２０７，２７０７  帯域制限された送信直交ベースバンド信号の同相成分
２０８，２７０８  帯域制限された送信直交ベースバンド信号の直交成分
２０９，２１０  信号処理部
２１１，２７１１  信号処理された送信直交ベースバンド信号の同相成分
２１２，２７１２  信号処理された送信直交ベースバンド信号の直交成分
２１３，２７１３  無線部
２１４，２７１４  送信信号
２１５，２７１５  電力増幅部
２１６，２７１６  増幅された送信信号
２１７，２７１７  アンテナ
２１８  フレーム構成信号
３０２，６０２，１００２，１３０２，２００２  データシンボル変調信号生成部
３０３，６０３，１００３，１３０３，２００３  パイロットシンボル変調信号生成部
３０４  ランプシンボル直前のパイロットシンボル変調信号生成部
３０５，６０５，１００５，２００５  ランプシンボル変調信号生成部
３０６，６０６，１００６，２００６  ガードシンボル変調信号生成部
３０７，６０７，１００７，１３０７，２００７  データシンボル送信直交ベースバンド信号の同相成分
３０８，６０８，１００８，１３０８，２００８  データシンボル送信直交ベースバンド信号の直交成分
３０９，６０９，１００９，１３０９，２００９  パイロットシンボル送信直交ベースバンド信号の同相成分
３１０，６１０，１０１０，１３１０，２０１０  パイロットシンボル送信直交ベースバンド信号の直交成分
３１１  ランプシンボル直前のパイロットシンボル送信直交ベースバンド信号の同相成分
３１２  ランプシンボル直前のパイロットシンボル送信直交ベースバンド信号の直交成分
３１３，６１３，１０１３，２０１３  ランプシンボル送信直交ベースバンド信号の同相成分
３１４，６１４，１０１４，２０１４  ランプシンボル送信直交ベースバンド信号の直交成分
３１５，６１５，１０１５，２０１５  ガードシンボル送信直交ベースバンド信号の同相成分
３１６，６１６，１０１６，２０１６  ガードシンボル送信直交ベースバンド信号の直交成分
３１７，６１７，１０１７，１３１７，２０１７  同相成分切り替え部
３１８，６１８，１０１８，１３１８，２０１８  直交成分切り替え部
３１９，６１９，１０１９，１３１９，２０１９  選択された送信直交ベースバンド信号の同相成分
３２０，６２０，１０２０，１３２０，２０２０  選択された送信直交ベースバンド信号の直交成分
３２１，６２１，１０２１，１３２１，２０２１  フレーム構成信号
４０１，５０１，７０１，８０１，１１０１，１２０１，１４０１，１５０１
１６ＱＡＭの信号点
４０２，５０２，７０２，８０２，１１０２，１２０２，１４０２，１５０２，２１０５，２１０６  パイロットシンボルの信号点
４０３，５０３  ランプシンボル直前のパイロットシンボルの信号点
４０４，５０４，７０４，８０４，１１０４，１２０４，１４０５，１５０５，２１１１  ランプ，ガードシンボルの信号点
６０４  パイロットシンボル直後のランプシンボル変調信号生成部
６１１  パイロットシンボル直後のランプシンボル送信直交ベースバンド信号の同相成分
６１２  パイロットシンボル直後のランプシンボル送信直交ベースバンド信号の直交成分
７０３，８０３  パイロットシンボル直後のランプシンボルの信号点
９０９  減衰制御シンボル
１００４，１３０５，２００４  減衰制御シンボル変調信号生成部
１１１１，１３１３，２０１１  減衰制御シンボル送信直交ベースバンド信号の同相成分
１１１２，１３１４，２０１２  減衰制御シンボル送信直交ベースバンド信号の直交成分
１１０３，１２０３，１４０４，１５０４，２１０７，２１０８，２１０９，２１１０  減衰制御シンボルの信号点
１３０４  減衰制御シンボル前のパイロットシンボル変調信号生成部
１３０６  ランプおよびガードシンボル変調信号生成部
１３１１  減衰制御シンボル前のパイロットシンボル送信直交ベースバンド信号の同相成分
１３１２  減衰制御シンボル前のパイロットシンボル送信直交ベースバンド信号の直交成分
１３１５  ランプおよびガードシンボル送信直交ベースバンド信号の同相成分
１３１６  ランプおよびガードシンボル送信直交ベースバンド信号の直交成分
１４０３，１５０３  減衰制御シンボル前のパイロットシンボルの信号点
２１０１，２１０２，２１０３，２１０４  ＱＰＳＫの信号点
２２０１，２５０１，２６０１  アンテナ
２２０２，２５０２，２６０２  受信信号
２２０３，２５０３，２６０３  無線部
２２０４，２３０１，２４０１，２５０４，２６０４  受信直交ベースバンド信号
２２０５，２５０９，２６０５  伝送路歪み推定部
２２０６，２３０７，２５１０，２６０６  伝送路歪み推定信号
２２０７，２５０５，２６０９  周波数オフセット推定部
２２０８，２４０７，２５０６，２６１０  周波数オフセット推定信号
２２０９  復調部
２２１０，２５１２，２６１２  受信ディジタル信号
２３０２，２４０２  パイロットシンボル抽出機能
２３０３，２４０３  パイロットシンボル信号
２３０４，２４０４  減衰制御シンボル抽出機能
２３０５，２４０５  減衰制御シンボル信号
２３０６  伝送路歪み推定機能
２４０５  周波数オフセット推定機能
２５０７  周波数オフセット除去部
２５０８  周波数オフセット除去後の受信直交ベースバンド信号
２５１１  伝送路歪み除去部および復調部
２６０７  伝送路歪み除去部
２６０８  伝送路歪み除去後の受信直交ベースバンド信号
２６１１  周波数オフセット除去部および復調部
２７０９，２７１０  ハニング窓信号処理部
【図１】
0003607226.tif 000002
【図２】
0003607226.tif 000003
【図３】
0003607226.tif 000004
【図４】
0003607226.tif 000005
【図５】
0003607226.tif 000006
【図６】
0003607226.tif 000007
【図７】
0003607226.tif 000008
【図８】
0003607226.tif 000009
【図９】
0003607226.tif 000010
【図１０】
0003607226.tif 000011
【図１１】
0003607226.tif 000012
【図１２】
0003607226.tif 000013
【図１３】
0003607226.tif 000014
【図１４】
0003607226.tif 000015
【図１５】
0003607226.tif 000016
【図１６】
0003607226.tif 000017
【図１７】
0003607226.tif 000018
【図１８】
0003607226.tif 000019
【図１９】
0003607226.tif 000020
【図２０】
0003607226.tif 000021
【図２１】
0003607226.tif 000022
【図２２】
0003607226.tif 000023
【図２３】
0003607226.tif 000024
【図２４】
0003607226.tif 000025
【図２５】
0003607226.tif 000026
【図２６】
0003607226.tif 000027
【図２７】
0003607226.tif 000028